(57)【要約】【課題】２世代以上の歯形データを用いて正確に比較を行うことで、損失した歯牙の再現が可能な歯科補綴物製造支援装置、歯科補綴物製造支援プログラムおよび歯形データを提供する。【解決手段】歯科補綴物製造支援装置は、被登録者の歯形模型をスキャンして作成された第１の世代歯形データと、第１の世代歯形データをスキャンした後に、被登録者の損失した歯牙を含む歯形模型をスキャンして作成された第２の世代歯形データとを含む歯形データを重ね合わせて、歯科補綴物の補綴物データとして抽出するものである。２世代の歯形データを重ね合わせるときに、上顎であればハミュラーノッチＰ１１，Ｐ１２を基準点とし、下顎であればレトロモラーパッドＰ４１，Ｐ４２を基準点とすることで正確に重ね合わせることができる。【選択図】図３
2013169239.tif 000002
【特許請求の範囲】
【請求項１】
被登録者の歯形模型をスキャンして作成された第１の世代歯形データと、前記第１の世代歯形データをスキャンした後に、前記被登録者の損失した歯牙を含む歯形模型をスキャンして作成された第２の世代歯形データとを含む歯形データが格納される記憶手段と、
前記記憶手段に格納された歯形データを表示手段に表示する画像表示制御手段と、
前記第１の世代歯形データから、損失した歯牙に対応する歯牙を含む歯列であり、入力手段により指定された歯列を示す歯列データを抽出する画像抽出手段と、
前記歯形抽出手段により抽出された歯列データによる複数の歯牙を、前記歯列に対応する前記第２の世代歯形データの歯列に重ね合わせる画像調整手段と、
前記歯列データから損失した歯牙に対応する歯牙の形状を歯科補綴物の補綴物データとして抽出する補綴物データ生成手段とを備えたことを特徴とする歯科補綴物製造支援装置。
【請求項２】
前記画像調整手段は、前記第１の世代歯形データと前記第２の世代歯形データとに含まれる位置合わせ用の基準となる少なくとも２点（以下、基準点と称す。）の位置を示す基準データにより位置合わせして、前記第１の世代歯形データによる歯形模型と、前記第２の世代歯形データによる歯形模型とを重ね合わせる際に、歯形模型のサイズを調整して、前記基準点により位置合わせをする請求項１記載の歯科補綴物製造支援装置。
【請求項３】
コンピュータを、
被登録者の歯形模型をスキャンして作成された第１の世代歯形データと、前記第１の世代歯形データをスキャンした後に、前記被登録者の損失した歯牙を含む歯形模型をスキャンして作成された第２の世代歯形データとを含む歯形データが格納される記憶手段、
前記記憶手段に格納された歯形データを表示手段に表示する画像表示制御手段、
前記第１の世代歯形データから、損失した歯牙に対応する歯牙を含む歯列であり、入力手段により指定された歯列を示す歯列データを抽出する画像抽出手段、
前記歯形抽出手段により抽出された歯列データによる複数の歯牙を、前記歯列に対応する前記第２の世代歯形データの歯列に重ね合わせる画像移動手段、
前記歯列データから損失した歯牙に対応する歯牙の形状を歯科補綴物の補綴物データとして抽出する補綴物データ生成手段として機能させることを特徴とする歯科補綴物製造支援プログラム。
【請求項４】
被登録者の歯形模型をスキャンして作成された第１の世代歯形データと、前記第１の世代歯形データをスキャンした後に、前記被登録者の歯形模型をスキャンして作成された第２の世代歯形データとを含む歯形データであって、
コンピュータにより、前記第１の世代歯形データと前記第２の世代歯形データとを重ね合わせる際に、前記第１の世代歯形データから複数の歯牙により歯列が構成された歯列データを、前記歯列に対応する前記第２の世代歯形データの歯列に重ね合わせる処理に使用されることを特徴とする歯形データ。
【請求項５】
前記歯形データに、位置合わせ用の基準となる少なくとも２点（以下、基準点と称す。）の位置を示す基準データが含まれ、
コンピュータにより、
前記第１の世代歯形データによる歯形模型と、前記第２の世代歯形データによる歯形模型とを重ね合わせる際に、歯形模型のサイズを調整して、前記基準点により位置合わせをする処理に使用される請求項４記載の歯形データ。
【請求項６】
前記基準データは、ハミュラーノッチまたはレトロモラーパッドを示す位置である請求項５記載の歯形データ。
【請求項７】
前記基準データは、切歯乳頭の位置を示す切歯乳頭データを含む請求項６に記載の歯形データ。
【請求項８】
前記基準データは、舌小帯の位置を示す舌小帯データを含む請求項６に記載の歯形データ。
【請求項９】
前記基準データは、更に、歯牙の機能咬頭の位置を示す機能咬頭データを２以上含む請求項６記載の歯形データ。
【発明の詳細な説明】
【技術分野】
【０００１】
本発明は、歯形模型をスキャンした２世代以上の歯形データを用いて比較を行う技術に関するものである。
【背景技術】
【０００２】
歯牙は、物が当たってしまうことで欠損や損失したり、老齢と共に抜けたり、虫歯の治療により切削して欠損したりすることがある。歯全部を損失したときにはインプラントなどの人工歯で補ったり、欠損した部分が歯冠であるときにはクラウンと称される歯科補綴物で補ったりする。また、複数の歯牙を損失したときには有床義歯により治療を施すときもある。
歯牙を治療するときに、対向歯との噛み合わせや隣在歯との干渉、見た目があるため、歯の形状、歯列を再現するのが望ましい。正確に元の歯を再現するのは、損失してしまってからは困難である。そこで、事前に健全な状態の歯牙をスキャンして登録しておくことで、元の歯牙を再現するような歯科補綴物が設計できる方法やシステムが開発されている（例えば、特許文献１参照。）
【０００３】
この特許文献１に記載の歯科補綴物の設計方法および設計システムによれば、健全な状態の歯の形状を計測して得た基本歯形データに基づいて基本歯形モデルを構成し、補綴治療のために整形処理された歯の形状を計測して得た支台歯歯形データに基づいて支台歯歯形モデルを構成し、基本歯形モデルと支台歯歯形モデルとを重ね合わせ、その差分により補綴物の形状を求めている。
【先行技術文献】
【特許文献】
【０００４】
【特許文献１】特開２００２−２７２７６３号公報
【発明の概要】
【発明が解決しようとする課題】
【０００５】
しかし、特許文献１に記載の歯科補綴物の設計方法では、支台歯歯形モデルの非整形部分と基本歯形のモデルの該当部分とが重なるように２つのモデルの相対位置を調整しているため、１本全部の歯が損失すると重ね合わせる基準がなくなってしまう。また、複数本の歯が損失した場合には、更に、困難である。
【０００６】
そこで本発明は、２世代以上の歯形データを用いて正確に比較を行うことで、損失した歯牙の再現が可能な歯科補綴物製造支援装置、歯科補綴物製造支援プログラムおよび歯形データを提供することを目的とする。
【課題を解決するための手段】
【０００７】
本発明の歯科補綴物製造支援装置は、被登録者の歯形模型をスキャンして作成された第１の世代歯形データと、前記第１の世代歯形データをスキャンした後に、前記被登録者の損失した歯牙を含む歯形模型をスキャンして作成された第２の世代歯形データとを含む歯形データが格納される記憶手段と、前記記憶手段に格納された歯形データを表示手段に表示する画像表示制御手段と、前記第１の世代歯形データから、損失した歯牙に対応する歯牙を含む歯列であり、入力手段により指定された歯列を示す歯列データを抽出する画像抽出手段と、前記歯形抽出手段により抽出された歯列データによる複数の歯牙を、前記歯列に対応する前記第２の世代歯形データの歯列に重ね合わせる画像調整手段と、前記歯列データから損失した歯牙に対応する歯牙の形状を歯科補綴物の補綴物データとして抽出する補綴物データ生成手段とを備えたことを特徴とする。
【０００８】
また、本発明の歯科補綴物製造支援プログラムは、コンピュータを、被登録者の歯形模型をスキャンして作成された第１の世代歯形データと、前記第１の世代歯形データをスキャンした後に、前記被登録者の損失した歯牙を含む歯形模型をスキャンして作成された第２の世代歯形データとを含む歯形データが格納される記憶手段、前記記憶手段に格納された歯形データを表示手段に表示する画像表示制御手段、前記第１の世代歯形データから、損失した歯牙に対応する歯牙を含む歯列であり、入力手段により指定された歯列を示す歯列データを抽出する画像抽出手段、前記歯形抽出手段により抽出された歯列データによる複数の歯牙を、前記歯列に対応する前記第２の世代歯形データの歯列に重ね合わせる画像移動手段、前記歯列データから損失した歯牙に対応する歯牙の形状を歯科補綴物の補綴物データとして抽出する補綴物データ生成手段として機能させることを特徴とする。
【０００９】
本発明の歯科補綴物作製支援装置および歯科補綴物製造支援プログラムによれば、画像抽出手段が入力手段により指定された歯列を示す歯列データを抽出し、画像調整手段が歯列データによる複数の歯牙を、歯列に対応する前記第２の世代歯形データの歯列に重ね合わせ、補綴物データ生成手段が歯列データから損失した歯牙に対応する歯牙の形状を歯科補綴物の補綴物データとして抽出するので、損失した歯牙の向きが判らなくなってしまっても、損失した歯牙に対応する歯列データの歯牙により再現することができる。従って、損失した歯牙の向きを、歯列データにより正確に再現することができる。
【００１０】
前記画像調整手段は、前記第１の世代歯形データと前記第２の世代歯形データとに含まれる位置合わせ用の基準となる少なくとも２点（以下、基準点と称す。）の位置を示す基準データにより位置合わせして、前記第１の世代歯形データによる歯形模型と、前記第２の世代歯形データによる歯形模型とを重ね合わせる際に、歯形模型のサイズを調整して、前記基準点により位置合わせをするのが望ましい。
第１の世代歯形データから歯列を抽出して、第２の世代歯形データに重ね合わせる際に、治療対象の歯牙を含む歯列だけでは、サイズを変更することが困難なことがある。そこで、第１の世代歯形データと第２の世代歯形データとに基準点が設けられているので、この基準点を、サイズの調整の基準とすることで、歯形模型のサイズ調整を行うことができる。
【００１１】
更に、本発明の歯形データは、被登録者の歯形模型をスキャンして作成された第１の世代歯形データと、前記第１の世代歯形データをスキャンした後に、前記被登録者の歯形模型をスキャンして作成された第２の世代歯形データとを含む歯形データであって、コンピュータにより、前記第１の世代歯形データと前記第２の世代歯形データとを重ね合わせる際に、前記第１の世代歯形データから複数の歯牙により歯列が構成された歯列データを、前記歯列に対応する前記第２の世代歯形データの歯列に重ね合わせる処理に使用されることを特徴とする。
本発明の歯形データは、第１の世代歯形データと第２の世代歯形データとを重ね合わせる際に、第１の世代歯形データから複数の歯牙により歯列が構成された歯列データを第２の世代歯形データの歯列に重ね合わせることで、歯牙が損失してしまい、損失した歯牙の向きが判らなくなってしまっても、再現することができる。従って、損失した歯牙の向きを、歯列データにより正確に再現することができる。
【００１２】
前記歯形データに、位置合わせ用の基準となる少なくとも２点（以下、基準点と称す。）の位置を示す基準データが含まれ、コンピュータにより、前記第１の世代歯形データによる歯形模型と、前記第２の世代歯形データによる歯形模型とを重ね合わせる際に、歯形模型のサイズを調整して、前記基準点により位置合わせをする処理に使用すると、歯形模型のサイズ調整を行うことができる。
【００１３】
前記基準データは、ハミュラーノッチまたはレトロモラーパッドを示す位置とすることができる。基準点として歯形データが上顎であればハミュラーノッチ、下顎であればレトロモラーパッドとすると、ハミュラーノッチまたはレトロモラーパッドは経年変化の少ない粘膜面上にあるため、重ね合わせを正確に行うことができる。
【００１４】
前記基準データに、切歯乳頭の位置を示す切歯乳頭データを含ませることができる。切歯乳頭も経年変化の少ない粘膜面であるため、上顎の基準点としてハミュラーノッチに切歯乳頭を加えることで、３次元的な重ね合わせを行うことができる。
【００１５】
前記基準データに、舌小帯の位置を示す舌小帯データを含ませることができる。舌小帯も経年変化の少ない粘膜面であるため、下顎の基準点としてレトロモラーパッドに舌小帯を加えることで、３次元的な重ね合わせを行うことができる。
【００１６】
前記基準データは、更に、歯牙の機能咬頭の位置を示す機能咬頭データを２以上含むのが望ましい。機能咬頭は、その位置の経年的な変化が少ないため、基準点として適している。
【発明の効果】
【００１７】
本発明は、損失した歯牙に対応する歯列データの歯牙により再現することができるので、損失した歯牙の向きを、歯列データにより正確に再現することができる。従って、本発明は、２世代以上の歯形データを用いて正確に比較を行うことで、損失した歯牙の再現が可能である。
【図面の簡単な説明】
【００１８】
【図１】本発明の実施の形態に係る歯科補綴物作成支援システムの構成を示す概略図である。
【図２】図１に示す歯科補綴物作成支援装置の構成を示すブロック図である。
【図３】上顎の歯形模型を示す歯形データおよび基準点を説明するための図であり、（Ａ）は粘膜面上を基準点とした状態を示す図、（Ｂ）は歯牙の機能咬頭を基準点とした状態を示す図である。
【図４】下の歯形模型を示す歯形データおよび基準点を説明するための図であり、（Ａ）は粘膜面上を基準点とした状態を示す図、（Ｂ）は歯牙の機能咬頭を基準点とした状態を示す図である。
【図５】図１に示す歯科補綴物作成支援装置による歯形模型の登録方法を説明するためのフローチャートである。
【図６】図１に示す歯科補綴物作成支援装置による歯科補綴物を作製する方法を説明するためのフローチャートである。
【図７】上顎左１番が損失した状態の歯形模型を示す歯形データを説明するための図である。
【図８】歯列データの抽出を説明するための図であり、（Ａ）は第１の世代歯形データを示す図、（Ｂ）は歯列データを示す図である。
【図９】歯列データから第２の世代歯形データの損失歯に対応した補綴物データを抽出した状態を説明するための図である。
【発明を実施するための形態】
【００１９】
本発明の実施の形態に係る歯科補綴物作成支援システムを図面に基づいて説明する。
歯科補綴物作成支援システムは、歯形模型Ｍをスキャンした歯形データを生成する３Ｄ（３次元）スキャナ装置１０と、歯形データに基づいて歯科補綴物の作製するための補綴物データを生成する歯科補綴物作製支援装置２０と、歯科補綴物作製支援装置２０にアクセスして、画面操作をする端末装置３０と、歯科補綴物作製支援装置１０により作成された補綴物データに基づいて立体模型を造形する３Ｄ（３次元）プリンタ４０とを備えている。
【００２０】
歯科補綴物作成支援システムは、３Ｄスキャナ装置１０と、歯科補綴物作製支援装置２０と、端末装置３０と、３Ｄプリンタ４０とのそれぞれが、ネットワークＮにより接続されている。このネットワークＮは例えば、ＬＡＮとすることができる。
【００２１】
３Ｄスキャナ装置１０は、歯形模型（石膏模型）Ｍを３次元的にスキャンして立体的な歯形データとなる基本データを出力する。歯形データは、３Ｄスキャナ装置１０から歯科補綴物作製支援装置２０へ転送される。
【００２２】
歯科補綴物作製支援装置２０は、歯形模型Ｍが被登録者ごとに管理され、スキャンされた歯形模型から被登録者を特定したり、治療が必要となった歯形模型に基づいて歯科補綴物の模型の元となる補綴物データを作製したりするものである。
【００２３】
端末装置３０は、歯科補綴物作製支援装置１０の入力手段および表示手段として機能するパーソナルコンピュータである。
３Ｄプリンタ４０は、歯科補綴物作製支援装置１０からの補綴物データに基づいて、液状樹脂に紫外線を照射して硬化させて歯科補綴物の立体模型を造形する。
【００２４】
ここで、歯科補綴物作製支援装置２０について、図２に基づいて詳細に説明する。
歯科補綴物作製支援装置２０は、通信手段２１と、スキャン制御手段２２と、補綴物データ生成手段２３と、プリンタ制御手段２４と、歯形画像処理手段２５とを備えている。
【００２５】
通信手段２１は、歯科補綴物作製支援装置２０の各手段と、他の装置（３Ｄスキャナ装置１０，端末装置３０，３Ｄプリンタ装置４０）とをネットワークＮを介してデータの送受信をする。
スキャン制御手段２２は、端末装置３０による指示によりスキャン装置１０を動作させ、歯形模型Ｍをスキャンさせる。
補綴物データ生成手段２３は、端末装置３０による操作で指示された歯科補綴物の抽出範囲を、歯科補綴物を製造する際の補綴物データとして生成する。
プリンタ制御手段２４は、端末装置３０による指示により歯形データや補綴物データを３Ｄプリンタ装置へ出力する。
【００２６】
歯形画像処理手段２５は、１以上の歯形データを表示して、歯形データのサイズを調整して重ね合わせたりすることができる。
歯形画像処理手段２５は、画像表示制御手段２５１と、基準点登録手段２５２と、データベース登録管理手段２５３と、画像抽出手段２５４と、画像調整手段２５５と、記憶手段２５６とを備えている。
【００２７】
画像表示制御手段２５１は、３次元データである歯形データや歯形データから抽出した歯列データ、補綴物データを、端末装置３０への操作により指示された観察方向に基づく表示データへ変換して端末装置３０へ送信することで端末装置３０の表示手段に表示する。
データベース登録管理手段２５３は、スキャン装置１０によりスキャンした歯形データを、被登録者ごと、世代ごとに、識別するための識別情報を付与して、記憶手段２５６に格納する。
画像抽出手段２５４は、歯形データから、端末装置３０の入力手段により指定された範囲を抽出することで、歯列を示す歯列データを抽出したり、１本の歯牙を示す歯牙データを抽出したりする機能を備えている。この歯列データや歯牙データは歯形模型の範囲が異なるだけで、いずれも歯形データの一部となる３次元データである。
画像調整手段２５５は、端末装置３０の入力手段により指定された範囲のサイズを大きくしたり、小さくしたり、変更する機能を備えている。
【００２８】
記憶手段２５６は、歯形データを含む各種のデータが読み書き可能な不揮発性メモリである。記憶手段２５６は、大容量で高速アクセスが可能なハードディスク装置とすることができるが、ＳＳＤ（solid state drive）やフラッシュメモリとすることができる。
【００２９】
ここで、記憶手段２５６に格納される歯形データについて、図面に基づいて説明する。
歯形データは、歯形模型Ｍの表面の各位置をｘデータ，ｙデータ，ｚデータで示される座標により構成され、表示手段に表示したときに、各座標により面が構成されて、歯形模型Ｍが再現される３次元データである。本実施の形態では、歯形模型Ｍを示す歯形データを、座標３点と、この座標を頂点とした三角形の法線ベクトルとにより定義される小平面の集合体としている。例えば、歯形データのファイルフォーマットは、ＳＴＬ（Standard Triangulated Language）形式とすることができる。歯形データには、位置合わせ用の基準となる少なくとも２点（以下、基準点と称す。）の位置を示す基準データが含まれる。
【００３０】
この基準点は、図３（Ａ）に示すように、上顎であればハミュラーノッチ（Hamular notch）Ｐ１１，Ｐ１２とすることができる。ハミュラーノッチＰ１１，Ｐ１２は、翼突上顎切痕や鈎切痕とも称され、上顎結節と、蝶形骨の翼状突起の内側板の翼突鉤との間に位置するポイントである。ハミュラーノッチＰ１１，Ｐ１２は、ＨＮデータとして歯形データに含まれる。
更に、基準点として、切歯乳頭の前端Ｐ２１と、切歯乳頭の後端Ｐ２２とを加えることができる。この切歯乳頭の前端Ｐ２１，後端Ｐ２２とは、切歯乳頭データとして歯形データに含まれる。
また、基準点は、図３（Ｂ）に示すように、上顎歯牙の機能咬頭Ｐ３１〜Ｐ３４の位置を示す上顎機能咬頭データを含むことができる。図３（Ｂ）に示す例では、左右の３番（Ｐ３３，Ｐ３４）、左右の７番（Ｐ３１，Ｐ３２）の機能咬頭を基準点としている。
【００３１】
また、基準点は、図４（Ａ）に示すように、下顎であればレトロモラーパッド（Retromolar pad）Ｐ４１，Ｐ４２とすることができる。レトロモラーパッドＰ４１，Ｐ４２は、臼後結節や臼後三角とも称され、下顎歯槽頂の後縁に位置するポイントである。レトロモラーパッドＰ４１，Ｐ４２は、ＲＰデータとして歯形データに含まれる。
更に、基準点として、舌小帯の前端Ｐ５１とを加えることができる。この舌小帯の前端Ｐ５１は、舌小帯データとして歯形データに含まれる。
また、基準点は、上顎の場合と同様に、図４（Ｂ）に示すように、下顎歯牙の機能咬頭Ｐ６１〜Ｐ６４の位置を示す機能咬頭データを含むことができる。図４（Ｂ）に示す例では、左右の３番（Ｐ６３，Ｐ６４）、左右の７番（Ｐ６１，Ｐ６２）の機能咬頭を基準点としている。
【００３２】
ハミュラーノッチやレトロモラーパッド、切歯乳頭および舌小帯は、軟組織の経年的な変化の少ない粘膜面上に位置しているので、これらを重ね合わせの基準点とすることで、歯形模型をスキャンしたときから、歯牙が損失してしまい治療を要するようになったときまで、年月が経過してしまっていても、歯形データの重ね合わせを行うことができる。
【００３３】
また、歯牙の機能咬頭についても、その位置の経年的な変化が少ないため、基準点として適している。機能咬頭を基準とする歯牙は、左右から１本ずつを選定するのが望ましく、対象位置にある歯牙が更に望ましい。また、老齢になっても残存しているのが望ましい。従って、基準点となる歯牙は、少なくとも左右の３番とし、更に左右の７番を追加する。
【００３４】
以上のように構成された本発明の実施の形態に係る歯科補綴物作成支援システムの動作および使用状態について、図面に基づいて説明する。まず、歯形データの登録方法について説明する。
【００３５】
最初に、操作者は、歯科医院にて成形された被登録者の歯形模型Ｍを３Ｄスキャナ装置１０にセットする（ステップＳ１０）。次に、端末装置３０を操作して歯科補綴物作製支援装置２０にスキャンを指示する。この指示によりスキャン制御手段２２は３Ｄスキャナ装置１０へスキャンの命令を出力する。３Ｄスキャナ装置１０は、この命令によりスキャン動作して、歯形模型Ｍの歯形データを歯科補綴物作製支援装置２０に出力する（ステップＳ２０）。スキャン制御手段２２は、歯形データを記憶手段２５６に格納する（ステップＳ３０）。
【００３６】
３Ｄスキャナ装置１０によりスキャンした歯形データを端末装置３０に表示させるために、操作者が端末装置３０を操作して歯科補綴物作製支援装置２０に指示する。この指示により、画像表示制御手段２５１が記憶手段２５６から読み出し、端末装置３０へ表示データを送信する（ステップＳ４０）。
操作者は、表示された歯形データに基準点を指定するために、端末装置３０を操作する。この操作により、基準点登録手段２５２が、端末装置３０に表示された歯形データに、指定された基準点(図３および図４参照）を示す座標が登録される（ステップＳ５０）。
【００３７】
また、操作者は、歯形データに各種の登録情報を設定するために情報を入力して歯科補綴物作製支援装置２０へ登録を指示する（ステップＳ６０）。
この指示により、データベース登録管理手段２５３が、端末装置３０により入力された、歯形データを識別するための識別情報と、歯科医院を特定する医院情報、被登録者の名前（氏名情報）、電話番号（電話情報）、住所（住所情報）、生年月日（誕生日情報）、年齢（年齢情報）などの個人情報と、登録日（登録日情報）とを関連付け、記憶手段２５６に、登録情報として格納する。識別情報は、歯形データが識別できれば、どのようなものでもよいが、被登録者や世代、上顎または下顎を識別できるものが望ましい。識別情報は、被登録者と世代とを指定することで割り付けられるシリアルナンバとしたり、自動発生させたシリアルナンバとしたりすることができる。
以上により歯形データの登録を完了することができる。
【００３８】
次に、本発明の実施の形態に係る歯科補綴物作成支援システムを用いて歯科補綴物を作製する方法を、図面に基づいて説明する。
まず、記憶手段２５６に格納された歯形データのデータベースには、上記歯形データの登録方法に基づいて、被登録者の歯形模型が登録されているものとする。この登録は、２０代、３０代、４０代などのように、約１０年ごとであったり、歯牙が健全なうちの１回であったりすることができる。
【００３９】
被登録者の歯牙が欠損または損失した場合、被登録者が治療のために歯科医院を訪れたときに歯形模型を取る。そして、この歯形模型を、上記歯形データの登録方法に基づいて登録する。そうすることで、歯科補綴物作成支援装置２０には、治療前に作製した歯形模型をスキャンした少なくとも１つ以上の基準となる第１の世代歯形データと、治療を要する際に作製した歯形模型をスキャンした第２の世代歯形データが、データベースとして登録できた状態である（ステップＳ１１０）。
【００４０】
例えば、治療が必要な被登録者の歯形模型である第２の世代歯形データは、図７に示すように、上顎の中切歯である左上１番が損失している。
治療を要する歯牙が健全であったときの歯形データ（第１の世代歯形データ）を、端末装置３０を操作して、シリアルナンバや被登録者の名前、電話番号などを指定することで、歯科補綴物作成支援装置２０に表示を指示する。歯科補綴物作成支援装置２０では、指定された情報に基づいてデータベース登録管理手段２５３が記憶手段２５６を検索して、該当する第１の世代歯形データを特定する。
【００４１】
データベース登録管理手段２５３により検索された結果、該当する第１の世代歯形データが複数ある場合には、複数の候補を、登録情報と共に、端末装置３０へ表示して、更に選択させることも可能である。表示対象となった第１の世代歯形データが特定できれば、画像表示制御手段２５１が記憶手段２５６から読み出し、端末装置３０へ表示させる（ステップＳ１２０）。
【００４２】
そして、図８（Ａ）に示すように、左上１番を含む歯列の範囲の抽出を指示する。この指示により画像抽出手段２５４は、図８（Ｂ）に示す指定された範囲の歯列を抽出して、歯列を示す歯列データとして記憶手段２５６へ格納する（ステップＳ１３０）。
歯列データを指定する範囲は、損失した歯牙（左上１番）が含まれていればよいが、左上１番（損失した歯牙）の両側に歯牙がある方が重ね合わせるときに、治療時の歯牙の並びが多少移動して、完全に一致していなくても、誤差を少ないものとすることができる。
図８（Ｂ）に示す例では、左上２番〜右上３番までを範囲として指定している。
【００４３】
操作者は、画像抽出手段２５４により抽出された歯列データによる複数の歯牙を、端末装置３０にてドラッグして、前記歯列に対応する第２の世代歯形データの歯列に重ね合わせ、ドロップする操作を行う（ステップＳ１４０）。これらの歯列データの移動は、画像調整手段２５５により行われる。このとき、歯列データにより表示と、第２の世代歯形データによる表示は、いずれか一方、または両方が、半透明（透過）状態となっており、重ね合わせの状態が表示画面で把握しやすいようにしている。
【００４４】
健全な歯列である歯列データを、１番の歯牙が損失している第２の世代歯形データに重ね合わせるときに、健全な歯列の各方向の角度を調整して重ね合わせる。そうすることで、損失した左上１番の歯牙の向きが判らなくなってしまっても、損失した歯牙に対応する歯列データの歯牙により再現することができる。
従って、損失した歯牙の向きを、歯列データにより正確に再現することができる。
【００４５】
歯列データを第２の世代歯形データに重ね合わせると、操作者は、端末装置３０を操作して、図９に示すように、損失した歯牙である左上１番の歯牙の範囲を指定して、歯科補綴物の形状の抽出を歯科補綴物作成支援装置２０に指示する。この指示により、補綴物データ生成手段２３は、歯列データから損失した歯牙に対応する歯牙の形状を歯牙データとして抽出する。この歯牙データが歯科補綴物の補綴物データとなる（ステップＳ１５０）。
【００４６】
そして、操作者は、端末装置３０を操作して、この左上１番の補綴物データを、プリンタ制御手段２４を介して３Ｄプリンタ装置４０へ出力する。３Ｄプリンタ装置４０では、補綴物データに準じた歯科補綴物の立体模型を造形する（ステップＳ１５０）。
このようにして、歯牙を損失しても、歯形模型をスキャンしてデータベース化しておけば、歯牙が存在していた頃の状態に、正確に再現することができる。
【００４７】
ここで、損失した歯牙が含まれる第２の世代歯形データに、基準となる歯列データを重ね合わせるときに、損失した歯牙が健全だったときの第１の世代歯形データと、歯牙の治療が必要となったときの第２の世代歯形データとで、スキャン条件が異なると、歯形データのサイズが異なることがある。例えば、スキャンするカメラと歯形模型Ｍとの距離が近い３Ｄスキャン装置と、カメラと歯形模型Ｍとの距離が遠い３Ｄスキャン装置とでは、歯形データのサイズが近い方が大きく、遠い方が小さくなる。また、基本的には、歯形模型を水平台に載置してスキャンするため重ね合わされる歯形データ同士で角度の相違はないと思われるが、歯形模型の台付の形状にばらつきがあると、歯形模型を水平台に載置しても角度が変わってしまう場合がある。
【００４８】
従って、治療対象の歯牙を含む歯列だけで、第２の世代歯形データに重ね合わせようとすると、歯列のサイズを変更しつつ、角度を変更することになるため、歯列同士を重ね合わせるのが困難である。
【００４９】
そこで、本実施の形態に係る歯科補綴物作成支援装置２０では、歯列同士の重ね合わせが困難なときに、第１の世代歯形データと第２の世代歯形データとに基準点が設けられているので、この基準点を、サイズの調整および角度の調整の基準としている。
例えば、歯形データが上顎の場合、第１の世代歯形データおよび第２の世代歯形データに基づいて表示された２つの歯形模型を、図３（Ａ）に示すハミュラーノッチＰ１１，Ｐ１２が重なり合うようにして、歯列の状態も勘案して、画像調整手段２５５によるサイズの調整を行う。このとき、第１の世代歯形データによる表示と第２の世代歯形データによる表示は、いずれか一方、または両方が、半透明（透過）状態となっており、重ね合わせの状態が表示画面で把握しやすいようにしている。
【００５０】
２つの歯形模型のいずれか一方、または両方のサイズ調整だけで、２つの歯形模型が重なり合えば、このまま図６に示すステップＳ１３０からの歯列データの抽出を開始することができる。
また、歯形データが下顎の場合、ハミュラーノッチＰ１１，Ｐ１２のときと同様にして、図４（Ａ）に示すレトロモラーパッドＰ４１，Ｐ４２を基準点として重ね合わせ、歯形模型のサイズ調整を行うことができる。
【００５１】
歯形模型のサイズ調整だけで重なり合わなければ、２つの歯形模型のいずれかの角度を変更する。このとき、歯形模型が上顎であれば、切歯乳頭の前端Ｐ２１または後端Ｐ２２を角度調整のポイントとして加えることができる。また歯形模型が下顎であれば、舌小帯Ｐ５１を角度調整のポイントとして加えることができる。
そうすることで、ハミュラーノッチＰ１１，Ｐ１２やレトロモラーパッドＰ４１，Ｐ４２だけでは２次元的な重ね合わせしかできないが、他の基準点を１点加えることで、歯形模型の３次元的な調整が可能となる。
【００５２】
また、基準点をハミュラーノッチＰ１１，Ｐ１２やレトロモラーパッドＰ４１，Ｐ４２とする以外に、図３（Ｂ）または図４（Ｂ）に示すように、歯牙の機能咬頭Ｐ３１〜Ｐ３４，Ｐ６１〜Ｐ６４を基準点として、同様の手順で重ね合わせを調整することも可能である。
例えば、左右の３番（Ｐ３３，Ｐ３４またはＰ６３，Ｐ６４）を最初に基準点としてサイズの調整を行い、重ね合わせが難しいときに、左右の７番も基準点としてサイズおよび角度の調整を行う。そうすることで、歯形模型の３次元的な調整が可能となる。
【００５３】
なお、本実施の形態では、ハミュラーノッチと切歯乳頭、レトロモラーパッドと舌小帯、左右３番の機能咬頭と左右７番の機能咬頭を組み合わせて、サイズ調整および角度調整をしているが、ハミュラーノッチまたはレトロモラーパッドと左右３番の機能咬頭との組み合わせを基準点としてもよいし、上顎の左右７番と切歯乳頭、下顎の左右７番と舌小帯の組み合わせを基準点としてもよい。
【産業上の利用可能性】
【００５４】
本発明は、歯科技工所における歯科補綴物の製造に好適である。
【符号の説明】
【００５５】
１０  ３Ｄスキャナ装置
２０  歯科補綴物作製支援装置
２１  通信手段
２２  スキャナ制御手段
２３  補綴物データ生成手段
２４  プリンタ制御手段
２５  歯形画像処理手段
２５１  画像表示制御手段
２５２  基準点登録手段
２５３  データベース登録管理手段
２５４  画像抽出手段
２５５  画像調整手段
２５６  記憶手段
３０  端末装置
４０  ３Ｄプリンタ装置
Ｐ１１，Ｐ１２  ハミュラーノッチ
Ｐ２１  切歯乳頭の前端
Ｐ２２  切歯乳頭の後端
Ｐ３１〜Ｐ３４  機能咬頭（上顎）
Ｐ４１，Ｐ４２  レトロモラーパッド
Ｐ５１  舌小帯
Ｐ６１〜Ｐ６４  機能咬頭（下顎）
【図１】
2013169239.tif 000003
【図２】
2013169239.tif 000004
【図５】
2013169239.tif 000005
【図６】
2013169239.tif 000006
【図３】
2013169239.tif 000007
【図４】
2013169239.tif 000008
【図７】
2013169239.tif 000009
【図８】
2013169239.tif 000010
【図９】
2013169239.tif 000011